(57)【要約】【課題】オプションとして付設した給紙ユニットを動作させてもスキャナ部及びプリント部の熱量による機内温度上昇および汚染物質による機内汚染を効果的に防止し得る複写機を提供する。【解決手段】Ｂ４サイズの画像形成用紙に対する画像形成要求がなされて給紙ユニット51が動作状態となるとき、スキャナ部2、画像形成系31および用紙搬送系32並びに給紙ユニットの動作時に要する消費電力をメモリ9から取り出し、各ファン71〜73に対する電力供給量を７０％程度に設定するようにコントローラ8により制御する。更に、電源基板69の温度が所定温度以上でかつ給紙ユニットが動作状態であるときに、各ファンに供給される７０％の電力供給量のうち、加熱ローラ39aや電源基板などを冷却する第１,第２ファンへの電力供給量を約６割に設定し、スキャナ部の露光光源21を冷却する第３ファンへの電力供給量を残り約４割に設定するように制御する。【選択図】図３
2006011148.tif 000002
【特許請求の範囲】
【請求項１】
装置本体の動作時にファンの回転による吸気または排気によって装置本体を動作させる動作装置の熱量および装置本体内を汚染する汚染物質を装置本体外に排出するようにした画像形成装置において、
上記動作装置の動作および上記ファンを回転させる電力供給量を制御する制御手段を備え、
この制御手段は、装置本体に接続されるオプションの動作装置の動作状況に応じて上記ファンへの電力供給量を安全規格の範囲内で制御していることを特徴とする画像形成装置。
【請求項２】
上記請求項１に記載の画像形成装置において、
制御手段は、装置本体に対し画像形成要求がなされたときにオプションの動作装置の動作状況に応じたファンへの電力供給量の制御を行うようにしていることを特徴とする画像形成装置。
【請求項３】
上記請求項１または請求項２に記載の画像形成装置において、
動作装置に対し電源を供給する際に発熱する電源基板の温度を検出する温度検出手段を備え、
制御手段は、上記温度検出手段により検出された電源基板の温度が所定温度以上であるときにオプションの動作装置の動作状況に応じたファンへの電力供給量の制御を行うようにしていることを特徴とする画像形成装置。
【発明の詳細な説明】
【技術分野】
【０００１】
本発明は、電子写真複写機やレーザビームプリンタ等の画像形成装置に関し、特に、安全規格の範囲内で動作装置の熱量および汚染物質を装置本体外に円滑に排出する対策に係わる。
【背景技術】
【０００２】
従来より、この種画像形成装置にあっては、装置本体の動作時にファンの回転による吸気または排気によって、装置本体を動作させる動作装置、特に、原稿を読み取る際に発熱する光源を備えた原稿読み取り部、現像剤を定着する際に加熱される定着装置を備えた画像形成部、装置本体内において動作装置に対し電源を供給する際に発熱する電源基板などの動作装置が発生する熱量や、装置本体内を浮遊して汚染する飛散現像剤やオゾンなどの汚染物質を装置本体外に排出して、装置内温度の上昇を抑えるとともに、汚染物質を除去することが行われている（例えば、特許文献１参照）。この場合、原稿読み取り部、画像形成部および電源基板などの動作装置は、制御部によって制御されている。
【特許文献１】特開平９−２１２０６６号公報
【発明の開示】
【発明が解決しようとする課題】
【０００３】
ところで、近年、このような画像形成装置では、装置本体の基本装置に加えて、ステープル処理やパンチ孔処理などの後処理を行う後処理装置、ジョブセパレータ装置、複数段排紙トレイ装置、大容量給紙カセット装置などのオプションの動作装置が付設される傾向にある。その場合、装置本体に対しオプションの動作装置が付設されていても、画像形成装置全体としては電源の安全規格の範囲内で使用する必要があるため、画像形成装置全体の絶対電力の不足が否めず、消費電力を限られた範囲内で有効活用する必要がある。
【０００４】
一方、オプションの動作装置の付設に伴う画像形成装置全体の絶対電力の不足によってファンの回転停止も余儀なくされ、動作装置の熱源（原稿読み取り部の光源、画像形成部の定着装置および電源基板）の発する熱量をファンによって装置本体外に排出することができず、装置内温度が上昇してしまうことになる。しかも、ファンの回転停止によって、装置本体内を浮遊する飛散現像剤や帯電器から発生するオゾンなどの汚染物質が装置本体外に排出されずに滞留し、装置本体内を汚染してしまうことになる。
【０００５】
本発明は、かかる点に鑑みてなされたものであり、その目的とするところは、オプションの動作装置が付設されていても、限られた範囲内の消費電力で効率よくファンを回転させることによって、動作装置の熱量による装置本体内の温度上昇および汚染物質による装置本体内の汚染を効果的に防止することができる画像形成装置を提供することにある。
【課題を解決するための手段】
【０００６】
上記目的を達成するため、本発明では、装置本体の動作時にファンの回転による吸気または排気によって装置本体を動作させる動作装置（例えば、原稿を読み取る際に発熱する光源、現像剤を定着する際に加熱される定着装置、装置本体内において動作装置に対し電源を供給する際に発熱する電源基板）からの熱量および装置本体内を汚染する汚染物質を装置本体外に排出するようにした画像形成装置を前提とし、上記動作装置の動作および上記ファンを回転させる電力供給量を制御する制御手段を設ける。そして、装置本体に接続されるオプションの動作装置の動作状況に応じて上記ファンへの電力供給量を制御手段によって制御している。
【０００７】
この特定事項により、装置本体に付設されたオプションの動作装置の動作状況に応じてファンへの電力供給量が安全規格の範囲内で制御されるので、オプションの動作装置を動作させた際にファンを停止させる必要がなく、そのオプションの動作装置の動作に要した残りの電力でファンが効率よく回転することになる。これにより、動作装置の熱源（光源、定着装置および電源基板）が発していた熱量がファンによって装置本体外に円滑に排出されることになり、装置本体内の温度上昇を効果的に防止することが可能となる。しかも、装置本体内を浮遊する飛散現像剤やオゾンなどの汚染物質もファンによって装置本体外に円滑に排出され、汚染物質による装置本体内の汚染を効果的に防止することが可能となる。
【０００８】
特に、ファンへの電力供給量を制御するタイミングを特定するものとして、以下の構成が掲げられる。
【０００９】
つまり、装置本体に対し画像形成要求がなされたときにオプションの動作装置の動作状況に応じたファンへの電力供給量の制御を行うようにしている。
【００１０】
この特定事項により、最も電力消費量が嵩む画像形成要求時にオプションの動作装置の動作状況に応じてファンへの電力供給量が制御され、安全規格の範囲内でファンを効率よく回転させることが可能となる。
【００１１】
更に、動作装置に対し電源を供給する際に発熱する電源基板の温度が所定温度以上であるときにオプションの動作装置の動作状況に応じたファンへの電力供給量の制御を行うようにしている場合には、電源基板のＩＣや電子部品をファンによって効率よく冷却し、電源基板の誤動作などの不具合を確実に防止することが可能となる。
【発明の効果】
【００１２】
以上、要するに、オプションの動作装置の動作状況に応じてファンへの電力供給量を安全規格の範囲内で制御することで、オプションの動作装置の動作時にファンを停止させることなくファンを効率よく回転させ、動作装置からの熱量および装置本体内を浮遊する汚染物質を装置本体外に効果的に排出し、装置本体内の温度上昇を確実に防止することができる上、汚染物質による装置本体内の汚染を確実に防止することができる。
【発明を実施するための最良の形態】
【００１３】
以下、本発明を実施するための最良の形態を図面に基づいて説明する。本実施形態では、本発明に係る画像形成装置をデジタル複写機に適用した場合について説明する。
【００１４】
−複写機の全体構成の説明−
図１は本実施形態に係る画像形成装置としての複写機１の内部構成の概略を示している。この図１のように、本複写機１は、動作装置としてのスキャナ部２、画像形成部としてのプリント部３（動作装置）およびオプションとして付設された原稿自動給紙部４（オプションの動作装置）を備えている。そして、図２にも示すように、スキャナ部２および原稿自動給紙部４によって原稿読取装置が構成されている。以下、各部について説明する。
【００１５】
＜スキャナ部２の説明＞
スキャナ部２は、透明なガラス等で成る原稿台４１上に載置された原稿の画像や原稿自動給紙部４により１枚ずつ給紙される原稿の画像を読み取って画像データを作成する部分である。このスキャナ部２は、露光光源２１、複数の反射鏡２２，２３，２４、結像レンズ２５、光電変換素子（ＣＣＤ：Charge Coupled Device）２６を備えている。
【００１６】
上記露光光源２１は、原稿自動給紙部４の原稿台４１上に載置された原稿や原稿自動給紙部４を搬送される原稿に対して光を照射するものである。各反射鏡２２，２３，２４は、図１に破線で光路を示すように、原稿からの反射光を一旦図中左方向に反射させた後、下方に反射させ、その後、結像レンズ２５に向かうように図中右方向に反射させるようになっている。
【００１７】
原稿の画像読み取り動作として、上記原稿台４１上に原稿が載置された場合（「シート固定方式」として使用する場合）には、露光光源２１及び反射鏡２２が図１に実線で示す位置と仮想線で示す位置との間を原稿台４１に沿って水平方向に走査して、原稿全体の画像を読み取ることになる。一方、原稿自動給紙部４を搬送される原稿を読み取る場合（「シート移動方式」として使用する場合）には、露光光源２１及び反射鏡２２が図１に実線で示す位置に固定され、後述する原稿自動給紙部４の原稿読取部４２を原稿が通過する際にその画像を読み取ることになる。尚、この原稿読取部４２は、後述するプラテンガラス４２ａ、原稿押え板４２ｂ、露光光源２１、反射鏡２２，２３，２４、結像レンズ２５、光電変換素子２６により構成されている。
【００１８】
上記各反射鏡２２，２３，２４で反射されて結像レンズ２５を通過した光は光電変換素子２６に導かれ、この光電変換素子２６において反射光が電気信号（原稿画像データ）に変換されるようになっている。
【００１９】
＜プリント部３の説明＞
プリント部３は、画像形成系３１と用紙搬送系３２とを備えている。
【００２０】
画像形成系３１は、図示しないレーザスキャニングユニットとドラム型の感光体３１ｂとを備えている。レーザスキャニングユニットは、上記光電変換素子２６において変換された原稿画像データに基づいたレーザ光を感光体３１ｂの表面に照射するものである。感光体３１ｂは、図１中に矢印で示す方向に回転し、レーザスキャニングユニットからのレーザ光が照射されることによってその表面に静電潜像が形成されるようになっている。
【００２１】
また、感光体３１ｂの外周囲には、上記レーザスキャニングユニットの他に、現像装置３１ｃ、転写チャージャ３１ｄ、図示しないクリーニング装置、除電器および主帯電器が周方向に亘って順に配設されている。現像装置３１ｃは、感光体３１ｂの表面に形成された静電潜像をトナーにより可視像に現像するものである。転写チャージャ３１ｄは、感光体３１ｂの表面に形成されたトナー像を記録媒体としての画像形成用紙（図示せず）に転写するものである。クリーニング装置は、トナー転写後において感光体３１ｂの表面に残留したトナーを除去するようになっている。除電器は、感光体３１ｂの表面の残留電荷を除去するものである。主帯電器は、静電潜像が形成される前の感光体３１ｂの表面を所定の電位に帯電させるようになっている。
【００２２】
このため、画像形成用紙に画像を形成する際には、主帯電器によって感光体３１ｂの表面が所定の電位に帯電され、レーザスキャニングユニットが原稿画像データに基づいたレーザ光を感光体３１ｂの表面に照射する。その後、現像装置３１ｃが感光体３１ｂの表面にトナーによる可視像を現像し、転写チャージャ３１ｄによって、トナー像が画像形成用紙に転写される。更に、その後、感光体３１ｂの表面に残留したトナーはクリーニング装置によって除去されると共に、感光体３１ｂの表面の残留電荷が除電器によって除去される。これにより、画像形成用紙への画像形成動作（印字動作）の１サイクルが終了する。このサイクルが繰り返されることにより、複数枚の画像形成用紙に対して連続的に画像形成を行うことができるようになっている。
【００２３】
一方、用紙搬送系３２は、用紙収容部としての用紙カセット３３に収容された画像形成用紙を１枚ずつ搬送して上記画像形成系３１による画像形成を行わせると共に、画像形成された画像形成用紙を用紙排出部としての排紙トレイ３５へ排出するものである。
【００２４】
この用紙搬送系３２は、主搬送路３６と反転搬送路３７とを備えている。主搬送路３６は、一端が分岐されて用紙カセット３３の排出側に対向していると共に他端が排紙トレイ３５に対向している。反転搬送路３７は、一端が転写チャージャ３１ｄの配設位置よりも上流側（図中下側）で主搬送路３６に繋がっていると共に、他端が転写チャージャ３１ｄの配設位置よりも下流側（図中上側）で主搬送路３６に繋がっている。
【００２５】
主搬送路３６の上流端（用紙カセット３３の排出側に対向する部分）にはピックアップローラ３６ａが配設されている。このピックアップローラ３６ａの回転により、用紙カセット３３に収容されている画像形成用紙を１枚ずつ間欠的に主搬送路３６に給紙できるようになっている。
【００２６】
この主搬送路３６における転写チャージャ３１ｄの配設位置よりも上流側には、レジストローラ３６ｄ，３６ｄが配設されている。このレジストローラ３６ｄ，３６ｄは、感光体３１ｂ表面のトナー像と画像形成用紙との位置合わせを行いながら画像形成用紙を搬送するものである。主搬送路３６における転写チャージャ３１ｄの配設位置よりも下流側には、画像形成用紙に転写されたトナー像を定着させる定着装置３９が配設されている。この定着装置３９は、内部にヒータ３９ｈを有する加熱ローラ３９ａと、この加熱ローラ３９ａに対し画像形成用紙を介して圧接される加圧ローラ３９ｂとを備えている。そして、加熱ローラ３９ａの表面温度はサーミスタ（図示せず）により検出され、この検出値が定着設定温度に保持されるように、後述する制御部によってヒータ３９ｈに対する通電量が制御されるようになっている。また、主搬送路３６の下流端には、画像形成用紙を排紙トレイ３５に排紙するための一対の排紙ローラ３６ｇ，３６ｇが配設されている。
【００２７】
反転搬送路３７には搬送ローラ３７ａ，３７ａが配設されており、画像形成用紙が反転搬送路３７に供給された場合には、この搬送ローラ３７ａ，３７ａによって画像形成用紙が搬送され、レジストローラ３６ｄの上流側で画像形成用紙が反転されて再び転写チャージャ３１ｄに向かって主搬送路３６を搬送されるようになっている。つまり、画像形成用紙の裏面に対して画像形成が行えるようになっている。
【００２８】
そして、図１に示すように、複写機１の下部には、オプションの動作装置としての給紙ユニット５１が用紙カセット３３の下面に重ね合わされるように配設されている。このように、用紙カセット３３に給紙ユニット５１が重ね合わされた状態では、給紙ユニット５１の給紙経路５１ａの下流端が主搬送路３６のレジストローラ３６ｄよりも上流側に連通した状態となる。この給紙ユニット５１の給紙経路５１ａには、給紙カセット機構部５１ｂに収容されている画像形成用紙を１枚ずつ間欠的に給紙経路５１ａに給紙するピックアップローラ５１ｃと、このピックアップローラ５１ｃによって給紙経路５１ａに給紙された画像形成用紙を主搬送路３６へ送り出す搬送ローラ５１ｄとが設けられている。給紙ユニット５１の給紙経路５１ａは、給紙ユニット５１と複写機１内の下端部とに亘って設けられている。この場合、給紙ユニット５１の給紙カセット機構部５１ｂには、用紙カセット３３に収容されている画像形成用紙とは異なるサイズの画像形成用紙、例えば、用紙カセット３３にＡ４サイズの画像形成用紙が収容されている場合にはＢ４サイズの画像形成用紙が収容されている。
【００２９】
＜原稿自動給紙部の説明＞
次に、原稿自動給紙部４を図２に基づいて説明する。この原稿自動給紙部４は、所謂自動両面原稿搬送装置として構成されている。この原稿自動給紙部４は、シート移動式として使用可能であって、原稿トレイ４３、中間トレイ４４、原稿排紙トレイ４５及び各トレイ４３，４４，４５間で原稿を搬送する原稿搬送系４６を備えている。
【００３０】
上記原稿搬送系４６は、原稿トレイ４３に載置された原稿６，６，…を、原稿読取部４２を経て中間トレイ４４または原稿排紙トレイ４５へ搬送するための主搬送路４７と、中間トレイ４４上の原稿６を主搬送路４７に供給するための副搬送路４８とを備えている。
【００３１】
主搬送路４７の上流端（原稿トレイ４３の排出側に対向する部分）には原稿ピックアップローラ４７ａ及び捌きローラ４７ｂが配設されている。捌きローラ４７ｂの下側には捌き板４７ｃが配設されており、原稿ピックアップローラ４７ａの回転に伴って原稿トレイ４３上の原稿６，６，…のうちの１枚がこの捌きローラ４７ｂと捌き板４７ｃとの間を通過して主搬送路４７に給紙されるようになっている。主搬送路４７と副搬送路４８との合流部分（図中Ａ部分）には原稿６の通過を検知するための原稿入紙センサ４７ｄが配設されている。更に、この原稿入紙センサ４７ｄの配設位置よりも下流側にはＰＳローラ４７ｅ，４７ｅが配設されている。このＰＳローラ４７ｅ，４７ｅは、原稿６の先端とスキャナ部２の画像読み取りタイミングとを調整して原稿６を原稿読取部４２に供給するものである。つまり、このＰＳローラ４７ｅ，４７ｅは原稿６が供給された状態でその原稿６の搬送を一旦停止し、上記タイミングを調整して原稿６を原稿読取部４２に供給するようになっている。
【００３２】
原稿読取部４２は、プラテンガラス４２ａと原稿押え板４２ｂとを備え、ＰＳローラ４７ｅ，４７ｅから供給された原稿６がプラテンガラス４２ａと原稿押え板４２ｂとの間を通過する際に、上記露光光源２１からの光がプラテンガラス４２ａを通過して原稿６に照射されるようになっている。この際、上記スキャナ部２による原稿画像データの取得が行われる。上記原稿押え板４２ｂの背面（上面）にはコイルスプリング４２ｃによる付勢力が付与されている。これにより、原稿押え板４２ｂがプラテンガラス４２ａに対して所定の押圧力をもって接触しており、原稿６が原稿読取部４２を通過する際にプラテンガラス４２ａから浮き上がることを阻止している。
【００３３】
原稿読取部４２の下流側には、搬送ローラ４７ｆ及び原稿排紙ローラ４７ｇが備えられている。原稿読取部４２を通過した原稿６が搬送ローラ４７ｆ及び原稿排紙ローラ４７ｇを経て中間トレイ４４または原稿排紙トレイ４５へ排紙される構成となっている。尚、上記各ローラ４７ｅ，４７ｆ，４７ｇのうち図２中で回転方向に矢印を付したものが駆動ローラであって、それに接触するローラが従動ローラとなっている。
【００３４】
原稿排紙ローラ４７ｇと中間トレイ４４との間には中間トレイ揺動板４４ａが配設されている。この中間トレイ揺動板４４ａは、中間トレイ４４側の端部が揺動中心とされて、図２に実線で示すポジション１と仮想線で示すポジション２との間で揺動可能となっている。中間トレイ揺動板４４ａがポジション１にある場合には原稿排紙ローラ４７ｇ，４７ｇから排紙された原稿６は原稿排紙トレイ４５へ回収される。一方、中間トレイ揺動板４４ａがポジション２にある場合には原稿排紙ローラ４７ｇ，４７ｇから排紙された原稿６は中間トレイ４４へ排出されるようになっている。この中間トレイ４４への排紙時には、図２に仮想線で示すように、原稿６の端縁（図中の右端縁）が原稿排紙ローラ４７ｇ，４７ｇ間に挟持された状態となっており、この状態から原稿排紙ローラ４７ｇが逆回転することによって原稿６が副搬送路４８に供給され、この副搬送路４８を経て再び主搬送路４７に送り出されるようになっている。この原稿排紙ローラ４７ｇの逆回転動作は、主搬送路４７への原稿６の送り出しと画像読み取りタイミングとを調整して行われる。これにより、原稿６の裏面の画像が原稿読取部４２によって読み取られるようになっている。
【００３５】
また、主搬送路４７の上流端（原稿トレイ４３における図２中の右端近傍位置）には、原稿トレイ４３上に原稿６が存在するか否かを検知するための原稿検知センサ４Ａが設けられている。また、主搬送路４７の下流端近傍位置であって、副搬送路４８との分岐部分（図中Ｂ部分）付近には、この主搬送路４７を搬送される原稿６の先端（搬送方向の下流側端縁）が通過したことを検知可能な原稿先端検知センサ４Ｂが設けられている。
【００３６】
そして、図３に示すように、上記プリント部３（画像形成系３１および用紙搬送系３２）、原稿読取装置（スキャナ部２および原稿自動給紙部４）並びに給紙ユニット５１（ピックアップローラ５１ｃおよび搬送ローラ５１ｄ）は、制御手段としてのコントローラ８によってその動作がそれぞれ制御されるようになっている。また、プリント部３の近傍には、プリント部３、原稿読取装置および給紙ユニット５１に対しコントローラ８からの指令に従って電源を供給するＩＣや電子機器よりなる電源基板６９が設けられている。この電源基板６９から発する熱を放熱する放熱板（図示せず）には、温度検出手段としての温度センサ６９ａが設けられ、この温度センサ６９ａによって電源基板６９の温度が検出されるようになっている。更に、コントローラ８に接続されたメモリ９には、スキャナ部２、原稿自動給紙部４、プリント部３の画像形成系３１および用紙搬送系３２並びに給紙ユニット５１（ピックアップローラ５１ｃおよび搬送ローラ５１ｄ）の動作時に要する消費電力がそれぞれ個別に記憶されている。
【００３７】
−ファンの説明−
次に、本実施形態の特徴とする構成として、複写機１を動作させるプリント部３および原稿読取装置のスキャナ部２の動作時に発生する熱量および複写機１内を汚染する汚染物質を複写機１外に排出するファンについて説明する。
【００３８】
プリント部は、図１に示すように、スキャナ部２に対し筐体によって区画されており、その右側面上部位置に第１ファン７１が設けられているとともに、排紙トレイ３５に臨むように主搬送路３６の下流端下方の左側面下部位置に第２ファン７２が設けられている。
上記第１ファン７１は、プリント部３において現像剤を定着させる際に加熱される定着装置３９の加熱ローラ３９ａ、およびプリント部３および原稿読取装置に対し電源を供給する際に発熱する電源基板６９などを冷却するために複写機１外の空気を複写機１内に導入するために供されるものであり、一方、上記第２ファン７２は、第１ファン７１により導入されて加熱ローラ３９ａや電源基板６９などの冷却に要した空気、および筐体内において浮遊して汚染する飛散現像剤やオゾンなどの汚染物質を負圧の作用により複写機１外に排出するために供されるものである。この場合、第１および第２ファン７１，７２を回転させる電力供給量は、コントローラ８によって制御されている。
【００３９】
また、スキャナ部２は、図２にも示すように、プリント部３に対しその上方に筐体によって区画されており、その右側面に第３ファン７３が設けられているとともに、左側面にスリット７４が設けられている。上記第３ファン７３は、スキャナ部２において原稿を読み取る際に発熱する露光光源２１を冷却するために複写機１外の空気を複写機１内（筐体内）に導入するために供されるものであり、一方、スリット７４は、第３ファン７３により導入されて露光光源２１の冷却に要した空気を対流の作用により複写機１外に排出するために供されるものである。この場合、第３ファン７３を回転させる電力供給量は、コントローラ８によって制御されている。
【００４０】
そして、本発明の特徴部分として、コントローラ８は、給紙ユニット５１（ピックアップローラ５１ｃおよび搬送ローラ５１ｄ）の動作状況に応じて上記各ファン７１〜７３への電力供給量を安全規格の範囲内つまり総消費電力１５００Ｗ（電圧値１００Ｖ、電流値１５Ａでの値）の範囲内で賄えるように制御している。つまり、各ファン７１〜７３に対する電力供給量は、給紙ユニット５１の不使用状態では１００％に設定されても、総消費電力１５００Ｗの範囲内で賄えるようになっている。これに対し、給紙ユニット５１の使用状態では、スキャナ部２、原稿自動給紙部４、画像形成系３１および用紙搬送系３２並びに給紙ユニット５１の動作時に要する消費電力をメモリ９から取り出し、各ファン７１〜７３に対する電力供給量が総消費電力１５００Ｗの範囲内で賄えるように８０％程度に設定されるように制御されている。
【００４１】
また、コントローラ８は、操作部７０により画像形成要求がなされているときに、給紙ユニット５１の動作状況に応じた各ファン７１〜７３への電力供給量の制御を行うようにしている。つまり、操作部７０によりＢ４サイズの画像形成用紙に対する画像形成要求がなされて給紙ユニット５１が動作状態となるときに、スキャナ部２、原稿自動給紙部４、画像形成系３１および用紙搬送系３２並びに給紙ユニット５１の動作時に要する消費電力をメモリ９から取り出し、各ファン７１〜７３に対する電力供給量が総消費電力１５００Ｗの範囲内で賄えるように７０％程度に設定されるように制御されている。
【００４２】
更に、コントローラ８は、温度センサ６９ａにより検出された電源基板６９の温度が所定温度以上（例えば５０゜Ｃ以上）であるときに、給紙ユニット５１の動作状況に応じた各ファン７１〜７３への電力供給量の制御を行うようにしている。この場合、電源基板６９の温度が所定温度以上（例えば５０゜Ｃ以上）で、かつ給紙ユニット５１が動作状態であるときに、メモリ９から取り出した、スキャナ部２、原稿自動給紙部４、画像形成系３１および用紙搬送系３２並びに給紙ユニット５１の動作時に要する消費電力と、各ファン７１〜７３への電力供給量（最大電力供給量の７０％）との和が総消費電力１５００Ｗの範囲内で賄えるように、第１および第２ファン７１，７２への電力供給量と、第３ファン７３への電力供給量とに差を持たせて制御している。具体的には、電源基板６９の温度が所定温度以上で、かつ給紙ユニット５１が動作状態であるときに、最大電力供給量の７０％しか各ファン７１〜７３に供給されない電力供給量のうち、加熱ローラ３９ａや電源基板６９などを冷却する第１および第２ファン７１，７２への電力供給量を約６割に設定し、スキャナ部２の露光光源２１を冷却する第３ファン７３への電力供給量を残り約４割に設定するように制御されている。
【００４３】
したがって、上記実施形態では、オプションとして付設された給紙ユニット５１の動作状況に応じて各ファン７１〜７３への電力供給量を安全規格の範囲内（総消費電力１５００Ｗの範囲内）で賄えるように制御している。このとき、操作部７０によりＢ４サイズの画像形成用紙に対する画像形成要求がなされて給紙ユニット５１が動作状態となるときに、メモリ９から取り出した、スキャナ部２、原稿自動給紙部４、画像形成系３１および用紙搬送系３２並びに給紙ユニット５１が動作時に要する消費電力と、各ファン７１〜７３に対する電力供給量とが総消費電力１５００Ｗの範囲を越えないように、各ファン７１〜７３への電力供給量は最大電力供給量の７０％程度に設定されるように制御されている。
【００４４】
このため、給紙ユニット５１を動作させた際に各ファン７１〜７３を停止させる必要がなく、その給紙ユニット５１の動作に要した残りの電力（最大電力供給量の７０％程度）で各ファン７１〜７３が効率よく回転することになる。これにより、スキャナ部２の露光光源２１、画像形成系３１の定着装置３９および電源基板６９が発していた熱量が各ファン７１〜７３によって複写機１外に円滑に排出されることになり、複写機１内の温度上昇を効果的に防止することができる。しかも、複写機１内を浮遊する飛散現像剤やオゾンなどの汚染物質も第１および第２ファン７１，７２によって複写機１外に円滑に排出され、汚染物質による複写機１内の汚染を効果的に防止することができる。
【００４５】
更に、電源基板６９の温度が所定温度以上で、かつ給紙ユニット５１が動作状態であるときに、最大電力供給量の７０％しか各ファン７１〜７３に供給されない電力供給量のうち、加熱ローラ３９ａや電源基板６９などを冷却する第１および第２ファン７１，７２への電力供給量を約６割に設定し、スキャナ部２の露光光源２１を冷却する第３ファン７３への電力供給量を残り約４割に設定するように制御されているので、最大電力供給量の７０％の電力供給量のうちの約６割の電力供給量で第１および第２ファン７１，７２を回転させて電源基板６９のＩＣや電子部品を効率よく冷却し、電源基板６９の誤動作などの不具合を確実に防止することができる。しかも、最大電力供給量の７０％の電力供給量のうちの約４割の電力供給量で第３ファン７３を回転させてスキャナ部２の露光光源２１を効率よく冷却することもできる。
【００４６】
なお、本発明は、上記実施形態に限定されるものではなく、その他種々の変形例を包含している。例えば、上記実施形態では、第１ないし第３ファン７１〜７３による負圧作用や対流作用によってスキャナ部２の露光光源２１、定着装置３９の加熱ローラ３９ａおよび電源基板６９の熱量や汚染物質を複写機１外に排出するようにしたが、ファンの個数はこれに限定されるものではなく、原稿読取装置およびプリント部３からの熱量および汚染物質の発生箇所に応じてファンの個数が選定されるようにすればよい。
【００４７】
また、上記実施形態では、オプションの動作装置として給紙ユニット５１を複写機１に付設した場合について述べたが、ステープル処理やパンチ孔処理などの後処理を行う後処理装置、ジョブセパレータ装置、複数段排紙トレイ装置、より大容量の給紙カセット装置などのオプションの動作装置が適宜組み合わされて複写機に付設されていてもよく、その場合には、付設される動作装置の動作時の消費電力に応じて各ファンへの電力供給量が変更される。
【図面の簡単な説明】
【００４８】
【図１】本発明の実施形態に係る複写機の内部構成の概略を示す図である。
【図２】原稿自動給紙部及びその周辺部分を示す概略図である。
【図３】コントローラによる制御の構成を示すブロック構成図である。
【符号の説明】
【００４９】
１      複写機（画像形成装置）
２      スキャナ部（動作装置）
３      プリント部（動作装置）
５１    給紙ユニット（オプションの動作装置）
６９    電源基板
７１    第１ファン（ファン）
７２    第２ファン（ファン）
７３    第３ファン（ファン）
８      コントローラ（制御手段）
【図１】
2006011148.tif 000003
【図２】
2006011148.tif 000004
【図３】
2006011148.tif 000005